(57)【要約】  本発明は、スクリーン発光を制御する方法及び装置、プログラム及び記録媒体に関し、ディスプレイ技術分野に関する。前記方法は、撮影モードである場合に、スクリーンをフラッシュとして使用する機能であるスクリーンフラッシュ機能がオン状態であるか否かを検出するステップと、スクリーンフラッシュ機能がオン状態である場合には、スクリーンがフラッシュとして発光する必要がある場合に、第１の色温度補正方式に従ってスクリーン発光を制御し、ここで、第１の色温度補正方式は、スクリーンの元の色温度及び目標色温度に応じて設定され、スクリーンの元の色温度とは、スクリーンが偏色補正されていない場合に発光するときの色温度であるステップと、を含む。本発明は、色温度補正方式を端末機器内に予め設定することで、端末機器のスクリーンがフラッシュとして発光する必要がある場合に、この色温度補正方式に従ってスクリーン発光を制御して、最終的に撮影される物体の色がユーザの期待に合うようにして、撮影品質を向上させることができる。【選択図】図１Ａ
2019505101.tif 000002
【特許請求の範囲】
【請求項１】
撮影モードである場合に、スクリーンをフラッシュとして使用する機能であるスクリーンフラッシュ機能がオン状態であるか否かを検出するステップと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるステップと、を含む
ことを特徴とするスクリーン発光を制御する方法。
【請求項２】
前記スクリーンがフラッシュとして発光する必要がある場合に、第１の色温度補正方式に従って前記スクリーン発光を制御するステップは、
前記第１の色温度補正方式に従って前記スクリーンの各色チャネルに対応する階調電圧を決定するステップと、
前記スクリーンがフラッシュとして発光する必要がある場合に、決定された前記階調電圧を使用して前記スクリーン発光を制御するステップと、を含む
ことを特徴とする請求項１に記載の方法。
【請求項３】
少なくとも２つの選択肢を含む色温度設定インターフェースを表示し、各選択肢は１つの候補色温度補正方式に対応するステップと、
目標選択肢に対応する選択指示を取得するステップと、
前記目標選択肢に対応する候補色温度補正方式を前記第１の色温度補正方式とするステップと、をさらに含む
ことを特徴とする請求項１に記載の方法。
【請求項４】
前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む
ことを特徴とする請求項３に記載の方法。
【請求項５】
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものであるステップをさらに含む
ことを特徴とする請求項１に記載の方法。
【請求項６】
前記スクリーンの元の色温度及び前記目標色温度を取得するステップと、
前記スクリーンの元の色温度及び前記目標色温度に基づいて、前記スクリーンの調整される目標色チャネルを決定するステップと、
前記スクリーンの発光時の色温度が前記目標色温度を満たすように、前記目標色チャネルに対応する階調電圧を調整するステップと、
前記スクリーンの各色チャネルの現在の階調電圧に基づいて、前記第１の色温度補正方式を生成するステップと、をさらに含む
ことを特徴とする請求項１に記載の方法。
【請求項７】
撮影モードである場合に、スクリーンをフラッシュとして使用する機能であるスクリーンフラッシュ機能がオン状態であるか否かを検出する状態検出モジュールと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度である第１の制御モジュールと、を備える
ことを特徴とするスクリーン発光を制御する装置。
【請求項８】
前記第１の制御モジュールは、
前記第１の色温度補正方式に従って前記スクリーンの各色チャネルに対応する階調電圧を決定する電圧決定サブモジュールと、
前記スクリーンがフラッシュとして発光する必要がある場合に、決定された前記階調電圧を使用して前記スクリーン発光を制御する発光制御サブモジュールと、を備える
ことを特徴とする請求項７に記載の装置。
【請求項９】
少なくとも２つの選択肢を含む色温度設定インターフェースを表示し、各選択肢は１つの候補色温度補正方式に対応するインターフェース表示モジュールと、
目標選択肢に対応する選択指示を取得する指示取得モジュールと、
前記目標選択肢に対応する候補色温度補正方式を前記第１の色温度補正方式とする方式決定モジュールと、をさらに備える
ことを特徴とする請求項７に記載の装置。
【請求項１０】
前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む
ことを特徴とする請求項９に記載の装置。
【請求項１１】
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものである第２の制御モジュールをさらに備える
ことを特徴とする請求項７に記載の装置。
【請求項１２】
前記スクリーンの元の色温度及び前記目標色温度を取得する色温度取得モジュールと、
前記スクリーンの元の色温度及び前記目標色温度に基づいて、前記スクリーンの調整される目標色チャネルを決定するチャンネル決定モジュールと、
前記スクリーンの発光時の色温度が前記目標色温度を満たすように、前記目標色チャネルに対応する階調電圧を調整する電圧調整モジュールと、
前記スクリーンの各色チャネルの現在の階調電圧に基づいて、前記第１の色温度補正方式を生成する方式生成モジュールと、をさらに備える
ことを特徴とする請求項７に記載の装置。
【請求項１３】
プロセッサーと、
前記プロセッサーで実行可能な命令を記憶するためのメモリと、を備え、
前記プロセッサーは、
撮影モードである場合に、スクリーンをフラッシュとして使用する機能であるスクリーンフラッシュ機能がオン状態であるか否かを検出し、  
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される
ことを特徴とするスクリーン発光を制御する装置。
【発明の詳細な説明】
【技術分野】
【０００１】
本発明は、ディスプレイ技術分野に関し、特にスクリーン発光を制御する方法及び装置に関する。
【背景技術】
【０００２】
端末機器が撮影モードであるとき、その環境が暗い場合には、フラッシュ発光によって環境光の輝度の不足を補うために、フラッシュ機能をオンする必要がある。
【０００３】
関連技術では、端末機器のスクリーンをフラッシュとする手段がある。例えば、フロントカメラを使用して撮影するときに、フラッシュ機能をオンする必要がある場合には、スクリーン発光を制御して、スクリーンをフラッシュとする機能を実現することができる。
【発明の概要】
【発明が解決しようとする課題】
【０００４】
本発明は、スクリーン発光を制御する方法及び装置を提供する。技術案は、下記の通りである。
【課題を解決するための手段】
【０００５】
本発明の第１の態様によれば、スクリーン発光を制御する方法が提供され、前記方法は、
撮影モードである場合に、スクリーンをフラッシュとして使用する機能であるスクリーンフラッシュ機能がオン状態であるか否かを検出するステップと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるステップと、を含む。
【０００６】
選択的に、前記スクリーンがフラッシュとして発光する必要がある場合に、第１の色温度補正方式に従って前記スクリーン発光を制御するステップは、
前記第１の色温度補正方式に従って前記スクリーンの各色チャネルに対応する階調電圧を決定するステップと、
前記スクリーンがフラッシュとして発光する必要がある場合に、決定された前記階調電圧を使用して前記スクリーン発光を制御するステップと、を含む。
【０００７】
選択的に、前記方法は、
少なくとも２つの選択肢を含む色温度設定インターフェースを表示し、各選択肢は１つの候補色温度補正方式に対応するステップと、
目標選択肢に対応する選択指示を取得するステップと、
前記目標選択肢に対応する候補色温度補正方式を前記第１の色温度補正方式とするステップと、をさらに含む。
【０００８】
選択的に、前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む。
【０００９】
選択的に、前記方法は、
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものであるステップをさらに含む。
【００１０】
選択的に、前記方法は、
前記スクリーンの元の色温度及び前記目標色温度を取得するステップと、
前記スクリーンの元の色温度及び前記目標色温度に基づいて、前記スクリーンの調整される目標色チャネルを決定するステップと、
前記スクリーンの発光時の色温度が前記目標色温度を満たすように、前記目標色チャネルに対応する階調電圧を調整するステップと、
前記スクリーンの各色チャネルの現在の階調電圧に基づいて、前記第１の色温度補正方式を生成するステップと、をさらに含む。
【００１１】
本発明の第２の態様によれば、スクリーン発光を制御する装置が提供され、前記装置は、
撮影モードである場合に、スクリーンをフラッシュとして使用する機能であるスクリーンフラッシュ機能がオン状態であるか否かを検出する状態検出モジュールと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度である第１の制御モジュールと、を備える。
【００１２】
選択的に、前記第１の制御モジュールは、
前記第１の色温度補正方式に従って前記スクリーンの各色チャネルに対応する階調電圧を決定する電圧決定サブモジュールと、
前記スクリーンがフラッシュとして発光する必要がある場合に、決定された前記階調電圧を使用して前記スクリーン発光を制御する発光制御サブモジュールと、を備える。
【００１３】
選択的に、前記装置は、
少なくとも２つの選択肢を含む色温度設定インターフェースを表示し、各選択肢は１つの候補色温度補正方式に対応するインターフェース表示モジュールと、
目標選択肢に対応する選択指示を取得する指示取得モジュールと、
前記目標選択肢に対応する候補色温度補正方式を前記第１の色温度補正方式とする方式決定モジュールと、をさらに備える。
【００１４】
選択的に、前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む。
【００１５】
選択的に、前記装置は、
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものである第２の制御モジュールをさらに備える。
【００１６】
選択的に、前記装置は、
前記スクリーンの元の色温度及び前記目標色温度を取得する色温度取得モジュールと、
前記スクリーンの元の色温度及び前記目標色温度に基づいて、前記スクリーンの調整される目標色チャネルを決定するチャンネル決定モジュールと、
前記スクリーンの発光時の色温度が前記目標色温度を満たすように、前記目標色チャネルに対応する階調電圧を調整する電圧調整モジュールと、
前記スクリーンの各色チャネルの現在の階調電圧に基づいて、前記第１の色温度補正方式を生成する方式生成モジュールと、をさらに備える。
【００１７】
本発明の第３の態様によれば、スクリーン発光を制御する装置が提供され、前記装置は、
プロセッサーと、
前記プロセッサーで実行可能な命令を記憶するためのメモリと、を備え、
前記プロセッサーは、
撮影モードである場合に、スクリーンをフラッシュとして使用する機能であるスクリーンフラッシュ機能がオン状態であるか否かを検出し、  
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される。
【発明の効果】
【００１８】
本発明に提供された技術案によれば、以下のような技術効果が奏される。
【００１９】
色温度補正方式を端末機器内に予め設定することで、端末機器のスクリーンがフラッシュとして発光する必要がある場合に、この色温度補正方式に従ってスクリーン発光を制御して、最終的に撮影される物体の色がユーザの期待に合うようにして、撮影品質を向上させることができる。
【００２０】
なお、前記一般的な記載及び後述の詳細な記載は、単なる例示的で解釈的な記載であり、本発明を限定しない。
【図面の簡単な説明】
【００２１】
ここでの図面は、明細書に組み入れて本明細書の一部分を構成し、本発明に該当する実施例を例示するとともに、明細書とともに本発明の原理を解釈する。
【図１Ａ】一例示的な実施例に係るスクリーン発光を制御する方法を示すフローチャートである。
【図１Ｂ】一例示的な実施例に係るｇａｍｍａ曲線を示す図である。
【図２】一例示的な実施例に係る色温度補正方式の選択フローを示すフローチャートである。
【図３】一例示的な実施例に係る色温度補正方式の生成フローを示すフローチャートである。
【図４】一例示的な実施例に係るスクリーン発光を制御する装置を示すブロック図である。
【図５】別の例示的な実施例に係るスクリーン発光を制御する装置を示すブロック図である。
【図６】一例示的な実施例に係る装置を示すブロック図である。
【発明を実施するための形態】
【００２２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。即ち、それらは、特許請求の範囲に記載の本発明のある側面に一致する装置及び方法の例に過ぎない。
【００２３】
スクリーン自体の表示特性に束縛され、スクリーンが発する光がフルバンドスペクトルではないので、スクリーンのカラーレンダリングが悪い。例えば、あるスクリーンは、白色光を発するときに、一定の偏色現象（例えば、赤っぽい）が存在するので、スクリーンをフラッシュとする場合には、最終的に撮影される物体の色の精度の偏差が大きくて、撮影品質に影響を与える。これに鑑みて、本発明は、上記の技術問題を解决するために、スクリーン発光を制御する方法、及びこの方法に基づく装置を提供する。本発明の実施例に提供された技術案の中心思想は、色温度補正方式を端末機器内に予め設定することで、端末機器のスクリーンがフラッシュとして発光する必要がある場合に、この色温度補正方式に従ってスクリーン発光を制御して、最終的に撮影される物体の色がユーザの期待に合うように、スクリーンの発光時の偏色を調整して、撮影品質を向上させることである。
【００２４】
本発明に提供された方法によれば、各ステップの実行主体は、スクリーンフラッシュ機能のある端末機器であってもよいし、スクリーンフラッシュ機能とは、スクリーンをフラッシュとして使用する機能である。この端末機器は、カメラと、スクリーンと、を備え、カメラとスクリーンとは端末機器の同じ側に設けられる。例えば、この端末機器は、フロントカメラを備える携帯電話であってもよいし、或いは、この端末機器は、タブレットＰＣ、マルチメディアプレイヤー、ＰＤＡなどの電子機器であってもよい。
【００２５】
図１Ａは、一例示的な実施例に係るスクリーン発光を制御する方法を示すフローチャートである。前記方法は下記のステップを含んでもよい。
【００２６】
ステップ１０１において、撮影モードである場合に、スクリーンフラッシュ機能がオン状態であるか否かを検出する。
【００２７】
撮影モードとは、端末機器における撮影機能のあるアプリケーション（例えば、カメラアプリケーション）が動作状態であることである。スクリーンフラッシュ機能とは、スクリーンをフラッシュとして使用する機能である。例えば、端末機器は、フロントカメラを使用して撮影するときに、スクリーンをフラッシュとして発光させることができる。
【００２８】
ステップ１０２において、スクリーンフラッシュ機能がオン状態である場合には、スクリーンがフラッシュとして発光する必要がある場合に、第１の色温度補正方式に従ってスクリーン発光を制御する。
【００２９】
第１の色温度補正方式は、端末機器内に予め設定されており、端末機器が撮影モードであり、且つ、スクリーンフラッシュ機能がオン状態である場合に、第１の色温度補正方式が呼び出される。第１の色温度補正方式は、予め設定された撮影色温度要求を満たすように、スクリーンの元の色温度及び目標色温度に応じて設定される。例えば、スクリーンの元の色温度及び目標色温度に応じて、第１の色温度補正方式を予め設定し、第１の色温度補正方式を端末機器内に記憶させる。本発明の実施例では、スクリーンの発光時の色温度を調整することで、スクリーンの発光時の偏色を調整することができる。
【００３０】
スクリーンの元の色温度とは、スクリーンが偏色補正されていない場合に発光するときの色温度である。スクリーンの元の色温度により、スクリーンの元の偏色が決定され、スクリーンの元の偏色とは、スクリーンが偏色補正されていない場合に発光するときの偏色である。スクリーンの元の偏色は、赤色、緑色又は青色のうちのいずれかであってもよい。例えば、スクリーンの元の色温度が３５００Ｋである場合、スクリーンの元の偏色は赤色である。スクリーンの目標色温度とは、スクリーンがフラッシュとして発光する必要がある場合に、スクリーンが調整される色温度である。スクリーンの目標色温度によりスクリーンの目標偏色が決定され、スクリーンの目標偏色とは、スクリーンがフラッシュとして発光する必要がある場合に、スクリーンの調整される偏色である。目標色温度は具体的な値であってもよいし、値の範囲であってもよい。選択的に、スクリーンが発する光が自然光に近づくように、目標色温度が６５００Ｋであり、又は、目標色温度が６４００Ｋ〜６６００Ｋである。スクリーンがフラッシュとして発光する場合に、スクリーンが自然光を発するように制御することで、撮影される物体の色がより実際の色に近づくようにして、深刻な偏色現象が発生することを避けて、撮影品質を向上させることができる。
【００３１】
選択的に、第１の色温度補正方式は、スクリーンの少なくとも１つの色チャネルの階調を補正するためのものであり、階調補正によって、スクリーンの発光時の色温度を調整し、つまり、スクリーンの発光時の偏色を調整することができる。例えば、スクリーンの元の色温度が３５００Ｋであり、目標色温度が６５００Ｋであり、つまり、スクリーンの元の偏色が赤色であり、目標偏色が自然光である場合、第１の色温度補正方式は、スクリーンのＲ（赤色）チャンネルの階調を補正し、例えば、Ｒチャンネルの階調を低下させて、スクリーンの色温度を向上させ、これにより、スクリーンが発する光が自然光に近づくようにする。
【００３２】
第１の可能な実施形態では、第１の色温度補正方式は、スクリーンがフラッシュとして発光する必要がある場合のスクリーンの各色チャネルに対応する階調を含む。例えば、階調補正を行う必要がある色チャネルがＲチャンネルである場合、第１の色温度補正方式は、Ｒチャンネルに対応する補正後の階調と、Ｇ（緑色）チャンネル及びＢ（青色）チャンネルに対応する未補正の階調と、を含む。
【００３３】
第２の可能な実施形態では、第１の色温度補正方式は、スクリーンがフラッシュとして発光する必要がある場合のスクリーンの各色チャネルに対応する階調電圧を含む。例えば、階調補正を行う必要がある色がＲチャンネルである場合、第１の色温度補正方式は、Ｒチャンネルに対応する補正後の階調電圧と、Ｇチャンネル及びＢチャンネルに対応する未補正の階調電圧と、を含む。
【００３４】
選択的に、第１の色温度補正方式としてｇａｍｍａ補正方式を使用することができ、ｇａｍｍａ曲線は通常、パワー関数で示される。図１Ｂに示すように、ｇａｍｍａ曲線が例示的に示されている。図１Ｂに示す２次元直交座標系において、横座標はｘであり、縦座標はｙであり、このｇａｍｍａ曲線に対応するパワー関数は、次のように示されてもよい。
【００３５】
2019505101.tif 000003
ただし、ｙは補正後の階調（正規化された値で示す）を示し、ｘは補正前の階調を示し、
2019505101.tif 000004
（即ち、ｇａｍｍａ）は予め設定された定数である。
2019505101.tif 000005
の値は、補正前後の階調値に応じて予め設定することができる。例示的に、
2019505101.tif 000006
の値は２．０であり、対応的に、ｇａｍｍａ２．０補正方式と称する。本発明の実施例では、ある色チャネル補正前の階調はスクリーンの元の色温度に応じて設定され、この色チャネル補正後の階調は目標色温度に応じて設定される。
【００３６】
選択的に、ステップ１０２は、以下の２つのサブステップを含むことができる。
【００３７】
１、第１の色温度補正方式に従ってスクリーンの各色チャネルに対応する階調電圧を決定する。
【００３８】
スクリーンの色チャネルは、Ｒ、Ｇ及びＢの３つの色チャネルを含む。各色チャネルに対応する階調は階調電圧によって駆動される。
【００３９】
上記の第１の可能な実施形態に対応して、第１の色温度補正方式が、スクリーンがフラッシュとして発光する必要がある場合のスクリーンの各色チャネルに対応する階調を含む場合、端末機器は、スクリーンの各色チャネルに対応する階調に基づいて、各色チャネルに対応する階調電圧をそれぞれ決定する。ここで、階調と階調電圧との間はマッピング関係を有し、この予め設定された関係は、予め設定された対応関係又は予め設定された式によって示されてもよい。
【００４０】
上記の第２の可能な実施形態に対応して、第１の色温度補正方式が、スクリーンがフラッシュとして発光する必要がある場合のスクリーンの各色チャネルに対応する階調電圧を含む場合、端末機器は、スクリーンの各色チャネルに対応する階調電圧を直接に読み取る。
【００４１】
２、スクリーンがフラッシュとして発光する必要がある場合に、決定された階調電圧を使用してスクリーン発光を制御する。
【００４２】
スクリーンがフラッシュとして発光する必要がある場合には、例えば、端末機器がユーザによりトリガされた撮影命令を受信した場合に、端末機器は決定された階調電圧を使用してスクリーン発光を制御する。
【００４３】
本発明の実施例では、スクリーンの種類に対して限定をしない。例えば、スクリーンの種類は、ＬＣＤ（Ｌｉｑｕｉｄ  Ｃｒｙｓｔａｌ  Ｄｉｓｐｌａｙ、液晶ディスプレイ）スクリーンであってもよいし、ＯＬＥＤ（Ｏｒｇａｎｉｃ  Ｌｉｇｈｔ−Ｅｍｉｔｔｉｎｇ  Ｄｉｏｄｅ、有機発光ダイオード）スクリーンであってもよい。異なる種類のスクリーンに対して、上記の方法で偏色補正を行うことができる。通常、異なる種類のスクリーンの発光原理は異なるので、上記の方法で偏色補正を行うときの制御原理も異なる。
【００４４】
以下、ＬＣＤスクリーン及びＯＬＥＤスクリーンの２つの異なる種類のスクリーンを例として、上記の方法で偏色補正を行うときの制御原理を紹介する。ＬＣＤスクリーンに対して、ある色チャネルに対応する階調電圧を調整することで、この色チャネルに対応する通過率を変化することができ、さらに、この色チャネルに対応する階調を変化させることができる。ＯＬＥＤスクリーンに対して、ある色チャネルに対応する階調電圧を調整することで、この色チャネルに対応する有機発光小分子材料の発光効果を変化することができ、さらに、この色チャネルに対応する階調を変化させることができる。
【００４５】
選択的に、ステップ１０２の後に、前記方法は、スクリーンフラッシュ機能がオン状態からオフ状態に切り替えられた後、第２の色温度補正方式に従ってスクリーン発光を制御するステップをさらに含む。
【００４６】
第２の色温度補正方式は、スクリーンが通常表示モードである場合のインターフェース表示効果が予め設定された要求に達するようにするためのものである。通常表示モードとは、スクリーンフラッシュ機能がオフ状態である場合、例えば、スクリーンがユーザインターフェースを表示するための状態である場合の端末機器の表示モードである。例えば、第２の色温度補正方式は、スクリーンが通常表示モードである場合の階調、色度、滑らかさなどのインターフェース表示効果が予め設定された要求に達するようにする。第２の色温度補正方式は第１の色温度補正方式と比較して、補正目的が異なる。第１の色温度補正方式の補正目的は、スクリーン発光時の偏色を調整して、スクリーンがフラッシュとして発光するときの偏色が期待に合うようにすることであり、第２の色温度補正方式の補正目的は、スクリーンのインターフェース表示効果を調整して、スクリーンが通常表示モードである場合のインターフェース表示効果を向上させることである。
【００４７】
第２の色温度補正方式としてもｇａｍｍａ補正方式を使用することができ、端末機器が通常表示モードである場合の通常のｇａｍｍａ補正手段はｇａｍｍａ２．２補正手段である。
【００４８】
スクリーンフラッシュ機能がオン状態からオフ状態に切り替えられた後、電子機器はスクリーンをフラッシュとして発光させる必要がなくなるが、電子機器が通常表示モードである場合のインターフェース表示効果を確保するために、電子機器は第２の色温度補正方式に従ってスクリーン発光を制御する。
【００４９】
以上のように、本実施例に提供された方法によれば、色温度補正方式を端末機器内に予め設定することで、端末機器のスクリーンがフラッシュとして発光する必要がある場合に、この色温度補正方式に従ってスクリーン発光を制御して、最終的に撮影される物体の色がユーザの期待に合うようにして、撮影品質を向上させることができる。
【００５０】
また、この予め設定した色温度補正方式が自然光色温度補正方式である場合に、自然光色温度補正方式は、スクリーンが自然光を発するように、スクリーンの発光時の色温度を補正するので、端末機器は、この自然光色温度補正方式に従って、スクリーンが発する光が自然光に近づくように制御することで、撮影される物体の色がより実際の色に近づくようにして、深刻な偏色現象が発生することを避けて、撮影品質を向上させることができる。
【００５１】
上記の図１Ａに示す実施例では、端末機器内に予め設定された第１の色温度補正方式が自然光色温度補正方式であることを例として、スクリーンが自然光を発するように、スクリーンの発光時の色温度を補正する。他の可能な実施形態では、第１の色温度補正方式は、暖色光色温度補正方式又は寒色光色温度補正方式であってもよい。暖色光色温度補正方式は、スクリーンが暖色光を発するように、スクリーンの発光時の色温度を補正するためのものであり、例えば、暖色光は、赤色光、黄色光、橙色光などであってもよい。寒色光色温度補正方式は、スクリーンが寒色光を発するように、スクリーンの発光時の色温度を補正するためのものであり、例えば、寒色光は、青色光、紫色光などであってもよい。
【００５２】
一例では、ユーザがカスタムで選択できるように、複数の色温度補正方式が端末機器内に予め設定され、図２に示すように、関連の選択フローは、下記のステップを含んでもよい。
【００５３】
ステップ２０１において、色温度設定インターフェースを表示する。
【００５４】
色温度設定インターフェースは、少なくとも２つの選択肢を含み、各選択肢は１つの候補色温度補正方式に対応する。選択的に、候補色温度補正方式は、自然光色温度補正方式と、暖色光色温度補正方式と、寒色光色温度補正方式と、のうちの少なくとも２つを含む。
【００５５】
本実施例では、端末機器が色温度設定インターフェースを表示するタイミングに対して限定をしない。例えば、端末機器は、スクリーンフラッシュ機能がオフ状態からオン状態に切り替えられたことを検出した後、色温度設定インターフェースを自動的に表示することができる。また、例えば、端末機器は、操作命令を取得した後に色温度設定インターフェースを表示することができ、この操作命令は、ユーザによりトリガされた端末機器が色温度設定インターフェースを表示するように指示するための命令である。
【００５６】
ステップ２０２において、目標選択肢に対応する選択指示を取得する。
【００５７】
目標選択肢は、色温度設定インターフェースにおいて表示される上記の少なくとも２つの選択肢のうちのいずれかの選択肢である。一例では、色温度設定インターフェースは、第１の選択肢、第２の選択肢及び第３の選択肢を含む。ここで、第１の選択肢は、自然光色温度補正方式の選択をトリガするためのものであり、第２の選択肢は、暖色光色温度補正方式の選択をトリガするためのものであり、第３の選択肢は、寒色光色温度補正方式の選択をトリガするためのものである。ユーザは、スクリーンがフラッシュとして発光するときの発光効果が自然光になることを希望している場合には、第１の選択肢をクリックして自然光色温度補正方式の選択をトリガすることができ、スクリーンがフラッシュとして発光するときの発光効果が暖色光になることを希望している場合には、第２の選択肢をクリックして暖色光色温度補正方式の選択をトリガすることができ、スクリーンがフラッシュとして発光するときの発光効果が寒色光になることを希望している場合には、第３の選択肢をクリックして寒色光色温度補正方式の選択をトリガすることができる。
【００５８】
ステップ２０３において、目標選択肢に対応する候補色温度補正方式を第１の色温度補正方式とする。
【００５９】
端末機器が第１の色温度補正方式を決定した後で、スクリーンがフラッシュとして発光する必要がある場合には、この決定された第１の色温度補正方式に従ってスクリーン発光を制御する。
【００６０】
以上のように、本実施例に提供された方法によれば、ユーザが選択できるように、複数の候補色温度補正方式を提供することで、スクリーンはフラッシュとして発光するときに異なる発光効果を呈することができ、これにより、ユーザの個人化した応用要求をよりよく満足させることができる。
【００６１】
図３は、一例示的な実施例に係る色温度補正方式を設定する方法を示すフローチャートである。本実施例に提供された方法によれば、各ステップの実行主体は、処理及び記憶能力のある上記の端末機器以外の電子機器（例えば、コンピュータ又はサーバー）であってもよいし、又は、各ステップの実行主体は、上記の端末機器であってもよい。前記方法は、以下のステップを含むことができる。
【００６２】
ステップ３０１において、スクリーンの元の色温度及び目標色温度を取得する。
【００６３】
スクリーンの元の色温度とは、スクリーンが偏色補正されていない場合に発光するときの色温度である。スクリーンの目標色温度とは、スクリーンがフラッシュとして発光する必要がある場合に、スクリーンの調整されるまでの色温度である。本発明の実施例では、スクリーンの元の色温度及び目標色温度を取得する方法に対して限定をしない。例えば、スクリーンが偏色補正されていない状態で発光するように制御し、関連の色温度計によって、現在のスクリーンの発光時の色温度を測定する。
【００６４】
ステップ３０２において、スクリーンの元の色温度及び目標色温度に基づいて、スクリーンの調整される目標色チャネルを決定する。
【００６５】
スクリーンの目標色温度とは、スクリーンがフラッシュとして発光する必要がある場合に、スクリーンの調整される色温度である。目標色チャネルは、Ｒ、Ｇ、Ｂの３つの色チャネルのうちの少なくとも１つであってもよい。
【００６６】
例えば、スクリーンの元の色温度が暖色光に対応する色温度であり、且つ、目標色温度が自然光に対応する色温度である場合、例えば、スクリーンの元の色温度が３５００Ｋであり、且つ、目標色温度が６５００Ｋである場合に、スクリーンの調整される目標色チャネルをＲチャンネルと決定し、例えば、Ｒチャンネルに対応する階調を減少させる。例えば、スクリーンの元の色温度が寒色光に対応する色温度であり、且つ、目標色温度が自然光に対応する色温度である場合、例えば、スクリーンの元の色温度が８０００Ｋであり、且つ、目標色温度が６５００Ｋである場合に、スクリーンの調整される目標色チャネルをＢチャンネルと決定し、例えば、Ｂチャンネルに対応する階調を減少させる。さらに、例えば、スクリーンの元の色温度が寒色光に対応する色温度であり、且つ、目標色温度が暖色光に対応する色温度である場合、例えば、スクリーンの元の色温度が８０００Ｋであり、且つ、目標色温度が３５００Ｋである場合に、スクリーンの調整される目標色チャネルをＲ及びＢチャンネルと決定し、例えば、Ｒチャンネルに対応する階調を増加させ、Ｂチャンネルに対応する階調を減少させる。
【００６７】
ステップ３０３において、スクリーンの発光時の色温度が目標色温度を満たすように、目標色チャネルに対応する階調電圧を調整する。
【００６８】
目標色チャネルに対応する階調電圧を調整することで、スクリーンの発光時の色温度を相応に変化させ、変化後の色温度を取得して、この変化後の色温度が目標色温度を満たすか否かを検出することができる。
【００６９】
一可能な実施形態では、目標色温度が値である場合、スクリーンの発光時の色温度が目標色温度を満たすこととは、スクリーンの発光時の色温度が目標色温度に等しい、又は、スクリーンの発光時の色温度と目標色温度との間の差が予め設定された閾値より小さいことである。この予め設定される閾値は、実際の精度の要求に応じて設定されることができ、精度の要求が高い場合、予め設定される閾値は小さい。
【００７０】
別の可能な実施形態では、目標色温度が値の範囲である場合、スクリーンの発光時の色温度が目標色温度を満たすこととは、スクリーンの発光時の色温度が上記の値の範囲にあることである。
【００７１】
一具体的な例では、スクリーンが偏色補正されていない場合にスクリーン発光を制御するとすると、このスクリーンの各色チャネルに対応する階調電圧が５Ｖであり、このスクリーンの元の色温度が３５００Ｋであり、目標色温度が６５００Ｋである場合に、調整される必要がある目標色チャネルをＲチャンネルと決定し、Ｒチャンネルに対応する階調電圧を減少させて、スクリーンの発光時の色温度を６５００Ｋまで増加させ、例えば、Ｒチャンネルに対応する階調電圧が５Ｖから４．７Ｖまで低下されると、スクリーンの色温度は６５００Ｋになる。
【００７２】
ステップ３０４において、スクリーンの各色チャネルの現在の階調電圧に基づいて、第１の色温度補正方式を生成する。
【００７３】
スクリーンの各色チャネルの現在の階調電圧とは、スクリーンの発光時の色温度が目標色温度を満たすときの各色チャネルに対応する階調電圧である。調整される必要がある目標色チャネルについては、現在の階調電圧が即ち調整後の階調電圧であり、調整される必要がない他の色チャネルについては、現在の階調電圧が即ち未調整の階調電圧である。
【００７４】
図１Ａに示す実施例の第１の可能な実施形態に対応して、スクリーンの各色チャネルの現在の階調電圧に基づいて、各色チャネルに対応する階調を決定し、各色チャネルに対応する階調を含む第１の色温度補正方式を生成する。
【００７５】
図１Ａに示す実施例の第２の可能な実施形態に対応して、スクリーンの各色チャネルの現在の階調電圧に基づいて、各色チャネルに対応する階調電圧（即ち、現在の階調電圧）を含む第１の色温度補正方式を生成する。
【００７６】
上記の図２に示す実施例を併せて、実際の応用では、複数の候補色温度補正方式を予め生成することができ、第１の色温度補正方式はこの複数の候補色温度補正方式から選択され、各候補色温度補正方式は、本実施例に提供された方法で生成できる。自然光補正方式を生成する場合には、目標色温度を自然光に対応する色温度に設定する（例えば、６５００Ｋ）。暖色光補正方式を生成する場合には、目標色温度を暖色光に対応する色温度に設定し、暖色光に対応する色温度は６５００Ｋより小さい（例えば、３５００Ｋ）。寒色光補正方式を生成する場合には、目標色温度を寒色光に対応する色温度に設定し、寒色光に対応する色温度は６５００Ｋより大きい（例えば、８０００Ｋ）。
【００７７】
以下は、本発明の方法の実施例を実行するための本発明の装置の実施例である。本発明の装置の実施例で開示されていない詳細については、本発明の方法の実施例を参照下さい。
【００７８】
図４は、一例示的な実施例に係るスクリーン発光を制御する装置を示すブロック図である。この装置は、上記の方法の例を実現するための機能を有し、前記機能は、ハードウェアにより実現されることができ、或いは、ハードウェアによって対応するソフトウェアを実行して実現されることもできる。前記装置は、状態検出モジュール４０１と、第１の制御モジュール４０２とを備えてもよい。
【００７９】
状態検出モジュール４０１は、撮影モードである場合に、スクリーンをフラッシュとして使用する機能であるスクリーンフラッシュ機能がオン状態であるか否かを検出するように構成される。
【００８０】
第１の制御モジュール４０２は、前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される。
【００８１】
以上のように、本実施例に提供された装置によれば、色温度補正方式を端末機器内に予め設定することで、端末機器のスクリーンがフラッシュとして発光する必要がある場合に、この色温度補正方式に従ってスクリーン発光を制御して、最終的に撮影される物体の色がユーザの期待に合うようにして、撮影品質を向上させることができる。
【００８２】
図４に示す実施例に基づいて提供された一選択可能な実施例では、図５に示すように、前記第１の制御モジュール４０２は、電圧決定サブモジュール４０２ａと、発光制御サブモジュール４０２ｂと、を備える。
【００８３】
電圧決定サブモジュール４０２ａは、前記第１の色温度補正方式に従って前記スクリーンの各色チャネルに対応する階調電圧を決定するように構成される。
【００８４】
発光制御サブモジュール４０２ｂは、前記スクリーンがフラッシュとして発光する必要がある場合に、決定された前記階調電圧を使用して前記スクリーン発光を制御するように構成される。
【００８５】
図４に示す実施例に基づいて提供された別の選択可能な実施例では、図５に示すように、前記装置は、インターフェース表示モジュール４０３と、指示取得モジュール４０４と、方式決定モジュール４０５と、をさらに備える。
【００８６】
インターフェース表示モジュール４０３は、少なくとも２つの選択肢を含む色温度設定インターフェースを表示し、各選択肢は１つの候補色温度補正方式に対応するように構成される。
【００８７】
指示取得モジュール４０４は、目標選択肢に対応する選択指示を取得するように構成される。
【００８８】
方式決定モジュール４０５は、前記目標選択肢に対応する候補色温度補正方式を前記第１の色温度補正方式とするように構成される。
【００８９】
選択的に、前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む。
【００９０】
図４に示す実施例に基づいて提供された別の選択可能な実施例では、図５に示すように、前記装置は、第２の制御モジュール４０６をさらに備える。
【００９１】
第２の制御モジュール４０６は、前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものであるように構成される。
【００９２】
図４に示す実施例に基づいて提供された別の選択可能な実施例では、前記装置は、色温度取得モジュールと、チャンネル決定モジュールと、電圧調整モジュールと、方式生成モジュールとをさらに備える。
【００９３】
色温度取得モジュールは、前記スクリーンの元の色温度及び前記目標色温度を取得するように構成される。
【００９４】
チャンネル決定モジュールは、前記スクリーンの元の色温度及び前記目標色温度に基づいて、前記スクリーンの調整される目標色チャネルを決定するように構成される。
【００９５】
電圧調整モジュールは、前記スクリーンの発光時の色温度が前記目標色温度を満たすように、前記目標色チャネルに対応する階調電圧を調整するように構成される。
【００９６】
方式生成モジュールは、前記スクリーンの各色チャネルの現在の階調電圧に基づいて、前記第１の色温度補正方式を生成するように構成される。
【００９７】
なお、上記の実施例に提供された装置は、その機能を実現するときに、上記の各機能モジュールの分割のみを例として説明しているが、実際の応用では、実際の要求に応じて、上記の機能を異なる機能モジュールに割り当てて完成させることができ、即ち、機器のコンテンツ構造を異なる機能モジュールに分割して、以上に記載された機能の全部又は一部を完成させることができる。
【００９８】
上記実施例の装置において、各モジュールが操作を行う具体的な方法は、すでに関連方法の実施例で詳しく説明しており、ここで詳細な説明を省略する。
【００９９】
本発明の一例示的な実施例によれば、本発明に提供されたスクリーン発光を制御する方法を実現できるスクリーン発光を制御する装置がさらに提供される。前記装置は、プロセッサーと、プロセッサーで実行可能な命令を記憶するためのメモリと、を備え、前記プロセッサーは、
撮影モードである場合に、スクリーンをフラッシュとして使用する機能であるスクリーンフラッシュ機能がオン状態であるか否かを検出し、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される。
【０１００】
選択的に、前記プロセッサーは、
前記第１の色温度補正方式に従って前記スクリーンの各色チャネルに対応する階調電圧を決定し、
前記スクリーンがフラッシュとして発光する必要がある場合に、決定された前記階調電圧を使用して前記スクリーン発光を制御するように構成される。
【０１０１】
選択的に、前記プロセッサーは、さらに、
少なくとも２つの選択肢を含む色温度設定インターフェースを表示し、各選択肢は１つの候補色温度補正方式に対応し、
目標選択肢に対応する選択指示を取得し、
前記目標選択肢に対応する候補色温度補正方式を前記第１の色温度補正方式とするように構成される。
【０１０２】
選択的に、前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む。
【０１０３】
選択的に、前記プロセッサーは、さらに、
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものであるように構成される。
【０１０４】
選択的に、前記プロセッサーは、さらに、
前記スクリーンの元の色温度及び前記目標色温度を取得し、
前記スクリーンの元の色温度及び前記目標色温度に基づいて、前記スクリーンの調整される目標色チャネルを決定し、
前記スクリーンの発光時の色温度が前記目標色温度を満たすように、前記目標色チャネルに対応する階調電圧を調整し、
前記スクリーンの各色チャネルの現在の階調電圧に基づいて、前記第１の色温度補正方式を生成するように構成される。
【０１０５】
図６は、一例示的な実施例に係る装置６００を示すブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０６】
図６を参照すると、装置６００は、処理ユニット６０２、メモリ６０４、電源ユニット６０６、マルチメディアユニット６０８、オーディオユニット６１０、入力／出力（Ｉ／Ｏ）インターフェース６１２、センサーユニット６１４、及び通信ユニット６１６から選ばれる少なくとも１つを備えてもよい。
【０１０７】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサー６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【０１０８】
メモリ６０４は、装置６００での操作をサポートするように、各種のデータを記憶するように配置される。これらのデータは、例えば、装置６００で何れのアプリケーション又は方法を操作するための命令、連絡先データ、電話帳データ、メッセージ、画像、ビデオ等を含む。メモリ６０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１０９】
電源ユニット６０６は、装置６００の各種ユニットに電力を供給するためのものであり、電源管理システム、１つ又は複数の電源、及び装置６００のために電力を生成、管理及び分配することに関連する他のユニットを備えてもよい。
【０１１０】
マルチメディアユニット６０８は、前記装置６００とユーザとの間に出力インターフェースを提供するスクリーンを備えてもよい。一実施例では、スクリーンは、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、前記タッチやスライド操作と関連する持続時間や圧力も感知できる。一実施例では、マルチメディアユニット６０８は、フロントカメラ及び／又はバックカメラを有してもよい。装置６００が、例えば、撮影モードやビデオモードのような操作モードにある時、フロントカメラ及び／又はバックカメラが外部のマルチメディアデータを受信できる。フロントカメラ及びバックカメラのそれぞれは、固定的の光学レンズ系であってもよいし、焦点距離及び光学ズーム能力を有するものであってもよい。
【０１１１】
オーディオユニット６１０は、オーディオ信号を出力及び／又は入力するように配置される。例えば、オーディオユニット６１０は、マイクロフォン（ＭｉＣ）を有してもよい。装置６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。一実施例では、オーディオユニット６１０は、オーディオ信号を出力するためのスピーカをさらに備えてもよい。
【０１１２】
Ｉ／Ｏインターフェース６１２は、処理ユニット６０２と周辺機器インターフェースモジュールとの間にインターフェースを提供するためのものである。上記周辺機器インターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１３】
センサーユニット６１４は、装置６００のために各方面の状態を評価する少なくとも１つのセンサーを備えてもよい。例えば、センサーユニット６１４は、装置６００のオン／オフ状態や、ユニットの相対的な位置を検出することができる。例えば、前記ユニットは、装置６００のディスプレイ及びキーパッドである。センサーユニット６１４は、装置６００又は装置６００の１つのユニットの位置の変化、ユーザによる装置６００への接触の有無、装置６００の方向又は加速／減速、装置６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【０１１４】
通信ユニット６１６は、装置６００と他の設備の間との無線又は有線通信を便利にさせるように配置される。装置６００は、通信規格に基づく無線ネットワーク、例えば、ＷｉＦｉ、２Ｇ又は３Ｇ、あるいはそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１１５】
例示的な実施例では、装置６００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１１６】
例示的な実施例では、命令を有する非一時的コンピュータ読み取り可能な記録媒体、例えば、命令を有するメモリ６０４をさらに提供する。前記命令は、装置６００のプロセッサー６２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【０１１７】
非一時的コンピュータ可読記録媒体は、前記記録媒体における命令が装置６００のプロセッサーにより実行されると、装置６００が上述した方法を実行するようにする。
【０１１８】
なお、本明細書に言及されている「複数」とは、２つ又は２つ以上である。「及び／又は」は、関連するオブジェクトの関連付けを示し、３つの関係が存在することを示す。例えば、Ａ及び／又はＢは、Ａが単独で存在する、Ａ及びＢが同時に存在する、Ｂが単独で存在すると言う３つの場合を示すことができる。符号「／」は、一般的には、前後の関連するオブジェクトが「又は」の関係であることを示す。
【０１１９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１２０】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１Ａ】
2019505101.tif 000007
【図１Ｂ】
2019505101.tif 000008
【図２】
2019505101.tif 000009
【図３】
2019505101.tif 000010
【図４】
2019505101.tif 000011
【図５】
2019505101.tif 000012
【図６】
2019505101.tif 000013
【手続補正書】
【提出日】平成29年9月21日(2017.9.21)
【手続補正２】
【補正対象書類名】明細書
【補正対象項目名】０００１
【補正方法】変更
【補正の内容】
【０００１】
本発明は、ディスプレイ技術分野に関し、特にスクリーン発光を制御する方法及び装置、プログラム及び記録媒体に関する。
【手続補正３】
【補正対象書類名】明細書
【補正対象項目名】０００４
【補正方法】変更
【補正の内容】
【０００４】
本発明は、スクリーン発光を制御する方法及び装置、プログラム及び記録媒体を提供する。技術案は、下記の通りである。
【手続補正４】
【補正対象書類名】明細書
【補正対象項目名】００１７
【補正方法】変更
【補正の内容】
【００１７】
本発明の第３の態様によれば、スクリーン発光を制御する装置が提供され、前記装置は、
プロセッサーと、
前記プロセッサーで実行可能な命令を記憶するためのメモリと、を備え、
前記プロセッサーは、
撮影モードである場合に、スクリーンをフラッシュとして使用する機能であるスクリーンフラッシュ機能がオン状態であるか否かを検出し、  
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される。
本発明の第４の態様によれば、プログラムが提供され、前記プログラムは、プロセッサに実行されることにより、上記のスクリーン発光を制御する方法を実現することを特徴とする。
本発明の第５の態様によれば、記録媒体が提供され、前記記録媒体には、上記のプログラムが記録されている。
【手続補正５】
【補正対象書類名】特許請求の範囲
【補正対象項目名】全文
【補正方法】変更
【補正の内容】
【特許請求の範囲】
【請求項１】
撮影モードである場合に、スクリーンをフラッシュとして使用する機能であるスクリーンフラッシュ機能がオン状態であるか否かを検出するステップと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるステップと、を含む
ことを特徴とするスクリーン発光を制御する方法。
【請求項２】
前記スクリーンがフラッシュとして発光する必要がある場合に、第１の色温度補正方式に従って前記スクリーン発光を制御するステップは、
前記第１の色温度補正方式に従って前記スクリーンの各色チャネルに対応する階調電圧を決定するステップと、
前記スクリーンがフラッシュとして発光する必要がある場合に、決定された前記階調電圧を使用して前記スクリーン発光を制御するステップと、を含む
ことを特徴とする請求項１に記載の方法。
【請求項３】
少なくとも２つの選択肢を含む色温度設定インターフェースを表示し、各選択肢は１つの候補色温度補正方式に対応するステップと、
目標選択肢に対応する選択指示を取得するステップと、
前記目標選択肢に対応する候補色温度補正方式を前記第１の色温度補正方式とするステップと、をさらに含む
ことを特徴とする請求項１に記載の方法。
【請求項４】
前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む
ことを特徴とする請求項３に記載の方法。
【請求項５】
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものであるステップをさらに含む
ことを特徴とする請求項１に記載の方法。
【請求項６】
前記スクリーンの元の色温度及び前記目標色温度を取得するステップと、
前記スクリーンの元の色温度及び前記目標色温度に基づいて、前記スクリーンの調整される目標色チャネルを決定するステップと、
前記スクリーンの発光時の色温度が前記目標色温度を満たすように、前記目標色チャネルに対応する階調電圧を調整するステップと、
前記スクリーンの各色チャネルの現在の階調電圧に基づいて、前記第１の色温度補正方式を生成するステップと、をさらに含む
ことを特徴とする請求項１に記載の方法。
【請求項７】
撮影モードである場合に、スクリーンをフラッシュとして使用する機能であるスクリーンフラッシュ機能がオン状態であるか否かを検出する状態検出モジュールと、
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度である第１の制御モジュールと、を備える
ことを特徴とするスクリーン発光を制御する装置。
【請求項８】
前記第１の制御モジュールは、
前記第１の色温度補正方式に従って前記スクリーンの各色チャネルに対応する階調電圧を決定する電圧決定サブモジュールと、
前記スクリーンがフラッシュとして発光する必要がある場合に、決定された前記階調電圧を使用して前記スクリーン発光を制御する発光制御サブモジュールと、を備える
ことを特徴とする請求項７に記載の装置。
【請求項９】
少なくとも２つの選択肢を含む色温度設定インターフェースを表示し、各選択肢は１つの候補色温度補正方式に対応するインターフェース表示モジュールと、
目標選択肢に対応する選択指示を取得する指示取得モジュールと、
前記目標選択肢に対応する候補色温度補正方式を前記第１の色温度補正方式とする方式決定モジュールと、をさらに備える
ことを特徴とする請求項７に記載の装置。
【請求項１０】
前記候補色温度補正方式は、
前記スクリーンが自然光を発するように、前記スクリーンの発光時の色温度を補正するための自然光色温度補正方式と、
前記スクリーンが暖色光を発するように、前記スクリーンの発光時の色温度を補正するための暖色光色温度補正方式と、
前記スクリーンが寒色光を発するように、前記スクリーンの発光時の色温度を補正するための寒色光色温度補正方式と、のうちの少なくとも２つを含む
ことを特徴とする請求項９に記載の装置。
【請求項１１】
前記スクリーンフラッシュ機能が前記オン状態からオフ状態に切り替えられた後、第２の色温度補正方式に従って前記スクリーン発光を制御し、ここで、前記第２の色温度補正方式は、前記スクリーンが通常表示モードであるときのインターフェース表示効果が予め設定された要求に達するようにするためのものである第２の制御モジュールをさらに備える
ことを特徴とする請求項７に記載の装置。
【請求項１２】
前記スクリーンの元の色温度及び前記目標色温度を取得する色温度取得モジュールと、
前記スクリーンの元の色温度及び前記目標色温度に基づいて、前記スクリーンの調整される目標色チャネルを決定するチャンネル決定モジュールと、
前記スクリーンの発光時の色温度が前記目標色温度を満たすように、前記目標色チャネルに対応する階調電圧を調整する電圧調整モジュールと、
前記スクリーンの各色チャネルの現在の階調電圧に基づいて、前記第１の色温度補正方式を生成する方式生成モジュールと、をさらに備える
ことを特徴とする請求項７に記載の装置。
【請求項１３】
プロセッサーと、
前記プロセッサーで実行可能な命令を記憶するためのメモリと、を備え、
前記プロセッサーは、
撮影モードである場合に、スクリーンをフラッシュとして使用する機能であるスクリーンフラッシュ機能がオン状態であるか否かを検出し、  
前記スクリーンフラッシュ機能が前記オン状態である場合には、前記スクリーンがフラッシュとして発光する必要がある場合に、第１の色温度補正方式に従って前記スクリーン発光を制御し、ここで、前記第１の色温度補正方式は、前記スクリーンの元の色温度及び目標色温度に応じて設定され、前記スクリーンの元の色温度とは、前記スクリーンが偏色補正されていない場合に発光するときの色温度であるように構成される
ことを特徴とするスクリーン発光を制御する装置。
【請求項１４】
プロセッサに実行されることにより、請求項１から請求項６のいずれか１項に記載のスクリーン発光を制御する方法を実現することを特徴とするプログラム。
【請求項１５】
請求項１４に記載のプログラムが記録された記録媒体。
【国際調査報告】
2019505101.tif 000014
2019505101.tif 000015
2019505101.tif 000016
2019505101.tif 000017
2019505101.tif 000018